(57)【要約】  【課題】  シャワホースのメンテナンス時におけるシャワホース全体の引き抜き動作を容易に行うことができて作業性を向上させることができるシャワホース引き出し機構を提供すること。  【解決手段】  シャワヘッド３と水栓２を接続するシャワホース５を、シャワヘッド３を保持する筒状シャワホルダ１４内を通しながらシャワヘッド３と共に筒状シャワホルダ１４から引出すため筒状シャワホルダ１４内のシャワホース５を通過可能に案内するシャワホース受け２４が筒状シャワホルダ１４内に設けられているシャワホース引き出し機構において、前記シャワホース受け２４は、シャワホース５の通過方向に沿うよう複数列に配置され、シャワホース５が下流側に案内されるほど筒状シャワホルダ１４上面側に向かってシャワホース５を持ち上げうる案内リブ２５を、筒状シャワホルダ１４との間にシャワホース通過空間Ｆを形成しうる縦断面円弧状の樋部２６の上面２６ａに有している。  【選択図】        図１
2008184731.tif 000002
【特許請求の範囲】
【請求項１】
シャワヘッドと水栓を接続するシャワホースを、シャワヘッドを保持する筒状シャワホルダ内を通しながらシャワヘッドと共に筒状シャワホルダから引出すため筒状シャワホルダ内のシャワホースを通過可能に案内するシャワホース受けが筒状シャワホルダ内に設けられているシャワホース引き出し機構において、
前記シャワホース受けは、シャワホースの通過方向に沿うよう複数列に配置され、シャワホースが下流側に案内されるほど筒状シャワホルダ上面側に向かってシャワホースを持ち上げうる案内リブを、筒状シャワホルダとの間にシャワホース通過空間を形成しうる縦断面円弧状の樋部の上面に有することを特徴とするシャワホース引き出し機構。
【請求項２】
筒状シャワホルダは、水平より上に向いた円形の上流側開口部および円形の下流側開口部を有するとともに、上流側開口部と下流側開口部間に円形の湾曲部を有し、かつ、前記湾曲部は、筒状シャワホルダおよび水栓が取り付けられる水栓取付板部の側に湾曲するよう形成される一方、
シャワホース受けは、筒状シャワホルダの上流側開口部と湾曲部に跨がり上流側開口部を介して筒状シャワホルダ内に着脱自在に嵌込まれるよう構成されており、前記樋部は、筒状シャワホルダの前記湾曲部の下側湾曲面に沿うよう縦断面円弧状に形成されており、  また、案内リブは、第１のリブを樋部の上流側に有するとともに、この第１のリブから樋部の下流側に一体的に延設された第２のリブを有し、また、第１のリブは、筒状シャワホルダの前記下側湾曲面に沿う形状をなす湾曲面によって上端面が形成される一方、第２のリブは、第１のリブの前記上端面よりも更に筒状シャワホルダ上面側に突出した頂上部を備えた山型形状の湾曲面によって上端面が形成され、
また、前記シャワホースは外周に螺旋形状を有するラセンホースであり、このシャワホースの最上流管端は、ステンレス鋼帯の外径に略等しい外径を有する硬質部材よりなり、水栓本体に連結されている混合水供給用の接続管に、接続部材を介して接続されるよう構成されている請求項１に記載のシャワホース引き出し機構。
【請求項３】
シャワホースが挿通可能な挿通孔を有するとともに、シャワホース受けが接続される雄ねじ部およびシャワホース受け保持部をこの順で下流端に有するスタンドパイプを備える一方、シャワホース受けは、上流側から順に、スタンドパイプに接続保持される筒状部および前記樋部をこれらが一体成形された状態で有し、
前記筒状部は、前記雄ねじ部に接続される雌ねじ部と前記ホース受け保持部が位置する環状部を含むスタンドパイプとの接続用開口を上流側に有するとともに、シャワホース受け保持部の下流端面が当接するよう前記筒状部内に形成された内向きフランジを介して前記筒状部と樋部を繋ぐ開口部を下流側に有し、さらに、前記筒状部は、外周面に、筒状シャワホルダが回転不能で位置決め可能に接続される接続部を有するとともに、シャワホースをメンテナンス時に、シャワホースの最上流管端から前記接続部材を取り外した状態で引き抜く際にシャワホースの最上流管端を筒状シャワホルダの湾曲部内に位置する前記案内リブの第１のリブに至らしめるためシャワホースの通過方向に沿うよう配置された複数の補助リブを前記開口部の内周面に有する請求項１または請求項２に記載のシャワホース引き出し機構。
【発明の詳細な説明】
【技術分野】
【０００１】
この発明は、シャワヘッドと水栓を接続するシャワホースを、シャワヘッドを保持する筒状シャワホルダ内を通しながらシャワヘッドと共に筒状シャワホルダから引出すため筒状シャワホルダ内のシャワホースを通過可能に案内するシャワホース受けが筒状シャワホルダ内に設けられているシャワホース引き出し機構に関するものである。
【背景技術】
【０００２】
例えば図４，５に示すように、洗面化粧台の水栓取付板部１に、水栓２と、洗顔や洗髪等に用いるシャワヘッド３とが並設されたものがある。シャワヘッド３の吐出口４は、混合水供給用の可撓管（以下、シャワホースという）５、水栓本体に接続された混合水供給管６を介して水栓本体内に形成されている混合水の吐出流路に連通している。
シャワホース５は螺旋形状を持つステンレス鋼帯の内面に合成樹脂製部材を固着してなる可撓性を有するラセンホースであり、このシャワホース５の最上流管端８は、ステンレス鋼帯の外径に略等しい外径を有する硬質部材よりなり、接続金具７を介して混合水供給管６に接続されるよう構成されている。
すなわち、シャワホース５の最上流管端８に接続金具７をはめ込み、この状態で、混合水供給管６の管端６ａを接続金具７にはめ込み、管端６ａと接続金具７に形成されているフランジｍ，ｎ同士を当接させた状態で、両フランジｍ，ｎの一部をクイックファスナー１０の長孔１１，１２へ挿入して、混合水供給管６に対して接続金具７の抜け止めを行うとともに、外部力によるクイックファスナー１０の脱落を防止する抜け止めカバー１３が施される。
１４は、シャワヘッド３を保持する筒状シャワホルダで、カバー体１５を介して水栓取付板部１に設置されている。筒状シャワホルダ１４は、水平より上に向いた円形の上流側開口部および円形の下流側開口部を有するとともに、上流側開口部と下流側開口部間に円形の湾曲部を有し、かつ、この湾曲部は、水栓取付板部１の側に湾曲するよう形成されている。
そして、シャワホース５を、シャワホース５が挿通可能なスタンドパイプ１６および筒状シャワホルダ１４内を通しながらシャワヘッド３と共にシャワホルダ１４から引出すため筒状シャワホルダ１４内のシャワホース５を通過可能に案内するシャワホース受けが筒状シャワホルダ１４内における湾曲部の上流側とスタンドパイプ１６間に設けられている。
【発明の開示】
【発明が解決しようとする課題】
【０００３】
しかし、上述した従来構成のシャワホース引き出し機構では、シャワホース５のメンテナンス時に、シャワホース５を、シャワホース５の最上流管端８から接続金具７を取り外した状態で、全部引き抜く際に以下の問題があった。すなわち、シャワホース５の引き抜き途中において、スタンドパイプ１６を通過した最上流管端８がスタンドパイプ１６およびシャワホース受け間、あるいは、シャワホース受け、あるいは、シャワホース受けおよび筒状シャワホルダ１４の湾曲部間において傾くことがあり、最上流管端８が傾くとシャワホース受けの内面および／または筒状シャワホルダ１４の湾曲部内面と干渉してシャワホース５の引き抜きが困難になるという問題があった。つまり、シャワホース５の最後尾がシャワホース受けおよび／または筒状シャワホルダ１４に引っ掛かり、引き抜き動作がうまくいかないという事態が現場でしばしば発生しており、作業性が悪かった。
【０００４】
この発明は、上述の事柄に留意してなされたもので、その目的は、シャワホースのメンテナンス時におけるシャワホース全体の引き抜き動作を容易に行うことができて作業性を向上させることができるシャワホース引き出し機構を提供することである。
【課題を解決するための手段】
【０００５】
上記目的を達成するために、この発明のシャワホース引き出し機構は、シャワヘッドと水栓を接続するシャワホースを、シャワヘッドを保持する筒状シャワホルダ内を通しながらシャワヘッドと共に筒状シャワホルダから引出すため筒状シャワホルダ内のシャワホースを通過可能に案内するシャワホース受けが筒状シャワホルダ内に設けられているシャワホース引き出し機構において、
前記シャワホース受けは、シャワホースの通過方向に沿うよう複数列に配置され、シャワホースが下流側に案内されるほど筒状シャワホルダ上面側に向かってシャワホースを持ち上げうる案内リブを、筒状シャワホルダとの間にシャワホース通過空間を形成しうる縦断面円弧状の樋部の上面に有することを特徴としている。
この発明において、シャワホースが下流側に案内されるとは、以下のことを意味する。すなわち、シャワホースのメンテナンス時におけるシャワホース全体の引き抜き動作を行う際に、筒状シャワホルダに保持されているシャワホースが筒状シャワホルダから引き抜かれる方向に案内されることを意味する。
【発明の効果】
【０００６】
この発明では、筒状シャワホルダ内のシャワホースを通過可能に案内するため筒状シャワホルダ内に設けたシャワホース受けを、縦断面円弧状の樋部と、この樋部の上面に形成された案内リブとで構成し、この案内リブを、シャワホースの通過方向（シャワホース全体を引き抜いてしまう引き抜き時におけるシャワホースの通過方向および／または通常の使用時のシャワホースの引き出し・収納時におけるシャワホースの通過方向）に沿うよう複数列に配置して構成するとともに、シャワホースが下流側に案内されるほど筒状シャワホルダ上面側に向かってシャワホースを持ち上げるよう構成している。
すなわち、この発明では、シャワホース通過部であるシャワホース受けに、筒状シャワホルダ上面側に膨らみを有する案内リブを設けたので、案内リブによってシャワホースの最後尾である最上流管端が、筒状シャワホルダとの間に形成されるシャワホース通過空間を大回りに通過できるようにし、それによって、最上流管端は傾くことなくシャワホース受けを通過できる。このうに、最上流管端筒状シャワホルダの内面と干渉することを回避できるので、シャワホースのメンテナンス時における引き抜き動作を容易に行うことができて作業性を向上させることができる。
【発明を実施するための最良の形態】
【０００７】
以下、この発明の実施の形態を、図を参照しながら説明する。なお、それによってこの発明は限定されるものではない。
【０００８】
図１〜３は、この発明の一つの実施の形態を示す。なお、図１〜３において、図４，５に示した符号と同一のものは、同一または相当物である。
図１〜３において、水栓取付板部１には、洗顔や洗髪等に用いるシャワヘッド３と、水栓（図示せず）とが並設されている。そして、シャワヘッド３を保持する筒状シャワホルダ１４は、洗面化粧台の水栓取付板部１の水平な上面１ａより上に向いた円形の上流側開口部２０および円形の下流側開口部２１を有するとともに、上流側開口部２０と下流側開口部２１間に円形の湾曲部２３を有している。この湾曲部２３は、水栓取付板部１の側に湾曲するよう形成されている。Ｐ1 ，Ｐ2 ，Ｐ3 は、筒状シャワホルダ１４の内面における下側湾曲面Ｓ上で、上流側から順に位置する３点を示し、Ｒ1 は、下側湾曲面Ｓの曲率半径を示す。また、Ｒ2 は、筒状シャワホルダ１４の内面における上側湾曲面Ｈの曲率半径を示す。  
シャワホース５は、螺旋形状を持つステンレス鋼帯５ａの内面に合成樹脂製部材５ｂを固着してなる可撓性を有するラセンホースである。このシャワホース５の最上流管端８は、ステンレス鋼帯の外径に略等しい外径を有する硬質部材よりなり、図４に示されているように、水栓本体に連結されている混合水供給用の接続管６に、接続部材７を介して接続されるよう構成されている。なお、この発明では、シャワホース５として、螺旋形状を持つステンレス鋼帯よりなる外周を有し、塩化ビニル（ＰＶＣ）や架橋ポリエチレン樹脂などの合成樹脂製部材を内面に有するものも採用できる。
【０００９】
２４は、筒状シャワホルダ１４内に設けられたシャワホース受けである。このシャワホース受け２４は、合成樹脂性で硬質であり、シャワホース５を、筒状シャワホルダ１４内を通しながらシャワヘッド３と共にシャワホルダ１４から引出したり、シャワホース５のメンテナンス時においてシャワホース全体を引き抜くため筒状シャワホルダ１４内のシャワホース５を通過可能に案内する。
さらに、シャワホース受け２４は、シャワホース５の通過方向（両矢印Ａで示す方向；引き抜きあるいは引き出し方向ならびに収納方向）に沿うよう複数列（この実施の形態では３列）に配置され、シャワホース５が下流側に案内されるほど筒状シャワホルダ１４上面側に向かって、すなわち、上側湾曲面Ｈ側に向かって、シャワホース５を持ち上げうる案内リブ２５を、筒状シャワホルダ１４の上側湾曲面Ｈとの間にシャワホース通過空間Ｆを形成しうる縦断面円弧状の樋部２６の上面２６ａに有している。そして、シャワホース受け２４は、筒状シャワホルダ１４の上流側開口部２１と湾曲部２３に跨がり上流側開口部２１を介して筒状シャワホルダ１４内に着脱自在に嵌込まれるよう構成されている。
前記樋部２６は、筒状シャワホルダ１４の下側湾曲面Ｓに沿うよう、上述したように縦断面円弧状に形成されている。すなわち、前記樋部２６の下面２６ｂは下側湾曲面Ｓの曲率半径Ｒ1 と同一の曲率半径に設定されている。
また、各案内リブ２５は、第１のリブ３０を樋部２６の上流側に有するとともに、この第１のリブ３０から樋部２６の下流側に一体的に延設された第２のリブ３１を有する。
また、第１のリブ３０は、筒状シャワホルダ１４の前記下側湾曲面Ｓに沿う形状をなす湾曲面によって上端面Ｍが形成されている。一方、第２のリブ３１は、第１のリブ３０の前記上端面Ｍよりも更に筒状シャワホルダ１４の上側湾曲面Ｈ側に突出した頂上部３３を備えた山型形状の湾曲面によって上端面Ｎが形成されている。
【００１０】
スタンドパイプ１６は、筒状で、シャワホース５が挿通可能な挿通孔１６ａを有するとともに、シャワホース受け２４が接続される雄ねじ部１６ｂおよびシャワホース受け保持部１６ｃをこの順で下流端に有している。一方、シャワホース受け２４は、上流側から順に、スタンドパイプ１６に接続保持される筒状部２７および前記樋部２６をこれらが一体成形された状態で有している。
前記筒状部２７は、スタンドパイプ１６の前記雄ねじ部１６ｂに接続される雌ねじ部４０と、スタンドパイプ１６の前記ホース受け保持部１６ｃが位置する環状部４１を含む接続用開口４２を上流側に有するとともに、シャワホース受け保持部１６ｃの下流端面Ｔが当接するよう前記筒状部２７内に形成された内向きフランジ４４を介して前記筒状部２７と樋部２６を繋ぐ開口部４５を下流側に有している。
さらに、前記筒状部２７は、外周面に、筒状シャワホルダ１４が回転不能で位置決め可能に接続される接続部５０を有する。また、前記筒状部２７は、シャワホース５をメンテナンス時に、シャワホース５の最上流管端８から前記接続部材７（図４参照）を取り外した状態で引き抜く際にシャワホース５の最上流管端８を筒状シャワホルダ１４の湾曲部２３内に位置する前記案内リブ２５の第１のリブ３０に至らしめるためシャワホース５の通過方向に沿うよう配置された複数の補助リブ５１を前記開口部４５の内周面Ｊに有する。６１は、合成樹脂製のシャワ受けであり、シャワ受けの直上流にシャワホース受け２４が位置する。
前記接続部５０は、筒状シャワホルダ１４の上流側開口部２０における内周面に形成された単一の位置決め用凹所６０にはめ込まれる爪５２と、筒状シャワホルダ１４の上流側開口部２０における内周面に形成された回り止め用の複数のセレーションに噛合するセレーション５４を有する。
【００１１】
而して、シャワホース５のメンテナンス時においてシャワホース全体を引き抜く際に、シャワホース５の最上流管端８は、複数の補助リブ５１に案内されてシャワホース通過空間Ｆに位置する第１のリブ３０に至り、この第１のリブ３０の上端面Ｍに案内されながらその軌跡を維持しつつシャワホース通過空間Ｆに位置する第２のリブ３１の上端面Ｎに至り、さらに、上端面Ｎの頂上部３３によって上側湾曲面Ｈ側に蹴り上げられ、第１のリブ３０のときよりも高い軌跡を描きながらシャワホース通過空間を大回りに通過する。このように、ホース通過部におて上側湾曲面Ｈ側にリブ３０，３１によって膨らみを設けることにより、シャワホース５のメンテナンス時にも難なくシャワホース５の全体の取り外し（引き抜き）が行える。
【００１２】
なお、案内リブ２５は３列のものを示したが、４列以上でもよい。要は、リブ３０の上端面Ｍに案内されながらその軌跡を下げるのではなく少なくとも維持させうる機構のものなら３列に限らない。  
【図面の簡単な説明】
【００１３】
【図１】この発明の一つの実施の形態において、シャワヘッドをシャワホルダに保持させている状態を示す構成説明図である。
【図２】（Ａ）は、上記実施の形態で用いたシャワホース受けを示す平面図である。（Ｂ）は、図２（Ａ）におけるＡ−Ａ線断面図である。（Ｃ）は、上記実施の形態で用いたシャワホース受けを示す側面図である。
【図３】（Ａ）は、上記実施の形態で用いたシャワホース受けを示す正面図である。（Ｂ）は、上記実施の形態で用いたシャワホース受けを示す斜視図である。
【図４】（Ａ）は、洗面化粧台の水栓取付板部に、水栓と、洗顔や洗髪等に用いるシャワヘッドとが並設されたものにおいて、接続状態を示す分解斜視図である。（Ｂ）は、洗面化粧台の水栓取付板部に、水栓と、洗顔や洗髪等に用いるシャワヘッドとが並設されたものにおいて、接続状態を示す構成説明図である。
【図５】洗面化粧台の水栓取付板部に、水栓と、洗顔や洗髪等に用いるシャワヘッドとが並設されたものにおいて、接続状態を示す斜視図である。
【符号の説明】
【００１４】
２          水栓
３          シャワヘッド
５          シャワホース
１４        筒状シャワホルダ
２４        シャワホース受け
２５        案内リブ
２６        樋部
【図１】
2008184731.tif 000003
【図２】
2008184731.tif 000004
【図３】
2008184731.tif 000005
【図４】
2008184731.tif 000006
【図５】
2008184731.tif 000007